(57)【要約】【課題】この発明は、加熱治具を移動可能とすることにより、継手用クランプを固定させて継手をしっかりと保持できるようにして継手受口を加熱溶融させ、管端部と嵌合溶着可能な溶着機を提供する。【解決手段】管継手の受口部と管との溶着機であって、管継手を支持する支持台と継手受口部を水平方向に向けて固定保持する管継手固定保持手段と、この管継手固定保持手段と同軸で管継手固定保持手段に近接、離反可能に摺動する管保持手段と、管継手固定保持手段と管保持手段の間に、同軸上に出没可能かつ軸芯に添って摺動移動可能な管端部外面と管継手受口部内面を溶融するヒーターとを備えている。【選択図】  図１
2004314450.tif 000002
【特許請求の範囲】
【請求項１】
管継手の受口部と管との溶着機であって、管継手を支持する支持台と継手受口部を水平方向に向けて固定保持する管継手固定保持手段と、この管継手固定保持手段と同軸で管継手固定保持手段に近接、離反可能に摺動する管保持手段と、管継手固定保持手段と管保持手段の間に、同軸上に出没可能かつ軸芯に添って摺動移動可能な管端部外面と管継手受口部内面を溶融するヒーターとを備え、前記管保持手段と前記ヒーターとの間隔および前記ヒーターと前記管継手固定保持手段との間隔を規制するストッパー、前記ヒーターの前記管保持手段側への移動位置を規制するストッパーおよび前記管保持手段と前記管継手固定保持手段との間隔を規制するストッパーが設けられていることを特徴とする溶着機。
【請求項２】
管保持手段がガイドに沿って管継手固定保持手段に対して近接、離反摺動可能とされ、ガイドと平行に摺動移動可能に装着されたラックの一端が管保持手段に固定され、ラックと噛み合うように所定位置で回転可能に設けられたピニオンをハンドルの回転で回転させてラックを摺動させて、管保持手段を管継手固定保持手段に向けて近接、離反するようになされている請求項１記載の溶着機。
【請求項３】
ヒーターがスライド軸受に支持されて摺動可能なガイド棒に取付けられ、ヒーターが流体シリンダーの動作で進出、後退可能に装着されている請求項１または請求項２記載の溶着機。
【請求項４】
ヘッダー本体に設けられた分岐管受口部と管との溶着機であって、ヘッダー本体を支持する支持台と分岐管受口部を水平方向に向けて固定保持するヘッダー固定保持手段と、このヘッダー固定保持手段と同軸でヘッダー固定保持手段に近接、離反可能に摺動する管保持手段と、ヘッダー固定保持手段と管保持手段の間に、同軸上に出没可能かつ軸芯に添って摺動移動可能な管端部外面と分岐管受口部内面を溶融するヒーターとを備え、前記管保持手段と前記ヒーターとの間隔および前記ヒーターと前記ヘッダー固定保持手段との間隔を規制するストッパー、前記ヒーターの前記管保持手段側への移動位置を規制するストッパーおよび前記管保持手段と前記ヘッダー固定保持手段との間隔を規制するストッパーが設けられていることを特徴とする溶着機。
【請求項５】
管保持手段がガイドに沿ってヘッダー固定保持手段に対して近接、離反摺動可能とされ、ガイドと平行に摺動移動可能に装着されたラックの一端が管保持手段に固定され、ラックと噛み合うように所定位置で回転可能に設けられたピニオンをハンドルの回転で回転させてラックを摺動させて、管保持手段をヘッダー固定保持手段に向けて近接、離反するようになされている請求項４記載の溶着機。
【請求項６】
ヒーターがスライド軸受に支持されて摺動可能なガイド棒に取付けられ、ヒーターが流体シリンダーの動作で進出、後退可能に装着されている請求項４または請求項５記載の溶着機。
【発明の詳細な説明】
【０００１】
【発明の属する技術分野】
この発明は、合成樹脂製の管と管継手とをスリーブ溶融接合するための溶着機に関し、特に、建物内の給水箇所や給湯箇所にヘッダー配管により給水配管や給湯配管を行う際や半導体製造工場内の超純水配管ラインの分岐配管におけるヘッダーの分岐管受口と管との溶着に使用して好適な溶着機に関するものである。
【０００２】
【従来の技術】
従来、管と管継手とをスリーブ溶融接合するには、管継手の受口内周面と管の端部外周面とをヒータブロックに嵌合して加熱溶融した後、ヒータブロックから取り外して管継手受口に管端部を挿入嵌合する方法が一般的である。
このスリーブ溶着機として、「管または管継手の端部を対向状態で把持する第一および第二のクランプ部材と、両クランプ部材を摺動自在に挿通するガイド棒と、上記両クランプ部材間に配設されてなる加熱治具とからなる溶着機において、前記加熱治具の一側面に継手用ヒーターフェイスと継手側ストッパーとが取り付けられ他側面に管用ヒーターフェイスと管側ストッパーとが取り付けられ、前記ガイド棒と平行にスライドラックが設けられ、このラックの一端は第一のクランプ部材と連結され、ラックの他端は第二のクランプ部材が挿通されており、第二のクランプ部材には上記ラックと歯合するピニオンを有する回転軸が軸止され、この回転軸の一端にはハンドルが設けられ、このハンドルの回転により、両クランプ部材が近接・離反可能となされていることを特徴とする溶着機。」が知られている（例えば、特許文献１参照。）。
【０００３】
【特許文献１】
実公平７−３４６６３号公報  （第１〜４頁、第１〜５図）
【０００４】
【発明が解決しようとする課題】
しかしながら、この特許文献１に記載の溶着機においては、管と管継手の端部を第一および第二のクランプ部材で把持し、ハンドルの回転により、両クランプ部材を共に移動させて近接・離反させ、加熱治具での加熱溶融と、管と継手との融着接合を行うようになっている。
この場合、把持し難い管継手、例えば、エルボ、チーズ（例えば、本管口径が１５０φで分岐管口径が２０φのように本管口径と分岐管口径が大きく異なるような場合）、分岐ヘッダーの分岐管受口等の受口部分を継手用クランプ（第１のクランプ）に保持しただけでは、継手をバランス良く保持できないため、継手用クランプを移動させると継手が動いて加熱用治具の継手用ヒーターフェイスと同軸状に嵌合できなかったり、嵌合できても押しつけられる時に継手が偏心して継手の受口の奥までヒーターフェイスを押し込むことができなかったりして、継手の受口内面を十分に溶融できず、管との溶着ができないケースがあった。
また、継手受口の加熱ができたとしても、継手用クランプを後退させて、継手受口からヒーターフェイスを離反させる時に継手のクランプ状態が動き、次に前進させて管端部と嵌合溶着する時に、管と嵌合できないことが生じることもあった。
【０００５】
このように、継手用クランプを移動させると、安定して保持できない継手の場合には、保持した継手が動いてヒーターフェイスや管と同一軸芯状態に保持できないためヒーターフェイスまたは管との嵌合を行うことができず、溶着できないことがあるという問題があった。
また、分岐ヘッダーの複数の分岐管受口（ヘッダー分岐管口径１６〜５０φ）の相互間隔が１３５〜１５５ｍｍのように、短い場合には、特許文献１の溶着機を用いて、管と溶着接合するには、以下のような不具合があった。
即ち、特許文献１の第３図に示す通りヒーター１により継手と管の接合面を加熱溶融させた後、ハンドルを逆回転させて、継手と管の端部をヒーターから離脱させる。そして、ヒーターを跳ね上げた後（第３図の一点鎖線で示す位置まで）、両者を嵌合させて溶着するのであるが、上記のような分岐管受口が複数、短い間隔で存在した場合、隣接する分岐管受口が溶着接合時にヒーターに当たってしまい、溶着接合できず、従って、分岐管受口の間隔に制限（最小間隔６００ｍｍ）があった。
【０００６】
【課題を解決するための手段】
この発明は、加熱治具を移動可能とすることにより、継手用クランプを固定させて継手をしっかりと保持できるようにして継手受口を加熱溶融させ、管端部と嵌合溶着可能な溶着機を提供するものである。
【０００７】
請求項１記載の融着機は、管継手の受口部と管との溶着機であって、管継手を支持する支持台と継手受口部を水平方向に向けて固定保持する管継手固定保持手段と、この管継手固定保持手段と同軸で管継手固定保持手段に近接、離反可能に摺動する管保持手段と、管継手固定保持手段と管保持手段の間に、同軸上に出没可能かつ軸芯に添って摺動移動可能な管端部外面と管継手受口部内面を溶融するヒーターとを備え、前記管保持手段と前記ヒーターとの間隔および前記ヒーターと前記管継手固定保持手段との間隔を規制するストッパー、前記ヒーターの前記管保持手段側への移動位置を規制するストッパーおよび前記管保持手段と前記管継手固定保持手段との間隔を規制するストッパーが設けられていることを特徴とする。
このように管継手を固定状態で保持すると共に、管継手を支持台で支持し、継手受口部を固定保持するようにしたことにより、受口部のみを保持する場合に比べて安定して動くことなく保持でき、管継手と管との加熱および溶着を確実に行うことができる。
【０００８】
また、請求項２記載の融着機は、請求項１記載の融着機において、管保持手段がガイドに沿って管継手固定保持手段に対して近接、離反摺動可能とされ、ガイドと平行に摺動移動可能に装着されたラックの一端が管保持手段に固定され、ラックと噛み合うように所定位置で回転可能に設けられたピニオンをハンドルの回転で回転させてラックを摺動させて、管保持手段を管継手固定保持手段に向けて近接、離反するようになされているものである。
このように管保持手段をピニオンの回転によるラックの摺動により、ガイドに沿って管継手固定保持手段に対して近接、離反摺動可能とされているので、管継手固定保持手段を固定した状態で、管保持手段を摺動させて、継手受口部と管端部とをヒーターに挿入して加熱溶融し、ピニオンを逆回転して管保持手段を後退させて継手受口部と管端部とをヒーターから離反させ、ヒーターを管軸上から移動させて、再度、管保持手段を管継手固定保持手段に近接させ、管端部を継手受口部に嵌合溶着することができる。即ち、ハンドルの正逆回転で一連の溶着作業を行うことができ、操作が簡単となる。
【０００９】
また、請求項３記載の融着機は、ヒーターがスライド軸受に支持されて摺動可能なガイド棒に取付けられ、ヒーターが流体シリンダーの動作で進出、後退可能に装着されているので、シリンダーのオン、オフ操作のみで、瞬時に切り換えができる。
【００１０】
また、請求項４、５、６記載の融着機は、請求項１、２、３における管継手固定保持手段がヘッダー固定保持手段に特定された発明であり、上記請求項１、２、３に関する発明と同様の作用を奏する。また、ヘッダーを固定保持し、管保持手段をヘッダー固定保持手段に対して近接、離反摺動可能とすると共に、ヒーターを出没可能に設けたことにより、隣り合うヘッダーの分岐管受口部の間隔が狭くても溶着が可能となり、汎用性の広い溶着機となっている。
【００１１】
【発明の実施の形態】
この発明の実施の形態を実施例に基づき図面を参照して説明する。
図１〜３は本発明の実施の一例を示し、図１は本発明溶着機の正面図、図２は図１の拡大平面図、図３は図１のＡ−Ａ線における拡大側面図である。この実施例は分岐管が設けられたヘッダーＨの分岐管受口部Ｒに管Ｐを溶着する溶着機の例を示している。
【００１２】
図１〜３で、１はヘッダー固定保持手段、２は管保持手段、３はヒーターである。  ヘッダー固定保持手段１は、ヘッダーＨの本体Ｓを支持する支持台１１とこの支持台１１に支持された本体Ｓを押圧保持する押圧具１２とヘッダーＨの分岐管受口部Ｒを水平方向に向けて固定保持する分岐管受口部固定具１３とを備え、ヘッダーＨを固定保持するようになっている。
尚、ヘッダーＨの分岐管受口部Ｒの方向を水平方向としたのは、ヘッダーＨおよび管Ｐの固定保持を容易とするためであり、多少傾斜していてもよい。
【００１３】
また、管保持手段２は、ヘッダーＨの分岐管受口部Ｒに溶着する管Ｐの管端部を保持する管保持具２１を有し、この管保持具２１の軸芯は前記分岐管受口部固定具１３の軸芯と同軸に設けられる、即ち、管保持具２１に保持される管Ｐの軸芯が分岐管受口部固定具１３に保持されるヘッダーＨの分岐管受口部Ｒの軸芯と同軸に保持されるようになされている。また、この管保持手段２は、ヘッダー固定保持手段１に向けて近接、離反可能に摺動移動するように設けられている。
管保持手段２をヘッダー固定保持手段１に近接、離反可能に摺動移動させるため、管保持手段２の摺動移動方向に向けて２本のガイド棒２２、２２が設けられ、管保持手段２はこのガイド棒２２と嵌め合わされて摺動するようになっており、管保持手段２にはガイド棒２２と平行にラック２３の一端部が固定され、このラック２３には所定位置で正逆回転するピニオン２４が噛み合って設けられ、ピニオン２４の回転軸に取付けられたハンドル２５を正逆回転させるとラック２３がガイド棒２２に添って移動し、ラック２３の一端部が固定されている管保持手段２がガイド棒２２に添って摺動移動するようになっている。
【００１４】
ヒーター３は、ヒーター本体３１にヘッダーＨの分岐管受口部Ｒ内面を溶融するヒーターフェイス３２と管Ｐの管端部外面を溶融するヒーターフェイス３３とを備え、ヘッダー固定保持手段１と管保持手段２との中間に設けられ、溶着しようとする分岐管受口部Ｒと管Ｐと同軸となる位置と、分岐管受口部Ｒに管Ｐの端部を挿入嵌合しようとする時には管保持手段２の摺動移動の邪魔にならない位置に移動するよう出没可能に設けられている。ヒーター３を出没可能とするために、ヒーター本体３１を、スライド軸受３４、３４に支持されて摺動するガイド棒３５、３５の先端に固定し、ヒーター本体３１をエアシリンダー３６で移動させるようになっている。ヒーター３の出没移動する方向は、管保持手段２の移動用のガイド棒２２に当たらない方向であれば上下、前後どちらでもよいが、コンパクトな装置とするには、装置の架台４の内方に収納可能な下方に移動させるものが好ましい。
【００１５】
また、ヒーター３は、ガイド棒２２と平行方向に摺動移動可能となされている。このために、ガイド棒３５、３５の先端に取付けられ、エアシリンダー３６で出没可能に組み立てられているヒーター３が、ガイド棒２２、２２の下方にガイド棒２２と平行に固定されているガイド棒３７、３７に移動可能に取付けられている。図１および図３に示すように、ガイド棒３７、３７に摺動板３８がスライド軸受３９、３９により摺動可能に取付けられ、この摺動板３８にガイド棒３５、３５を出没可能に支持するスライド軸受け３４、３４およびエアシリンダー３６が取付けられている。
【００１６】
本発明の溶着機は前記ヘッダー固定保持手段１、管保持手段２、ヒーター３がそれぞれ架台４に取付けられ、ヒーター３のヒーターフェイス３２とヒーターフェイス３３には、加熱温度と加熱時間を設定可能な電熱ヒーターが設けられ、通電加熱されるようになっており、エアシリンダー３６には、圧縮空気が供給されるようになっている。
【００１７】
また、ヒーター本体３１には、前記管保持手段２と前記ヒーター３との間隔、即ち、管保持手段２に保持された管Ｐの端部をヒーターフエイス３３に所定長さ差し込んだ時の管保持手段２とヒーター３との間隔を所定の間隔に規制するためのストッパー５１および前記ヒーター３と前記ヘッダー固定保持手段１との間隔、即ち、ヘッダー固定保持手段１の分岐管受口部固定具１３に固定された分岐管受口部Ｒにヒーターフェイス３２を所定長さ差し込んだ時のヒーター３とヘッダー固定保持手段１との間隔を所定の間隔に規制するためのストッパー５２が設けられ、管Ｐの端部外面およびヘッダーＨの分岐管受口部Ｒ内面の所定長さを加熱溶融できるようになっている。
【００１８】
また、前記ヒーター３の前記管保持手段２側への移動位置を規制するストッパー５３が、ヒーター３を摺動移動する前記ガイド棒３７に固定位置を調整可能に取付けられ、ヒーターフェイス３３に差し込まれて加熱溶融された管Ｐの端部をヒーターフェイス３３から引き離すことができるようになっている。
さらに、前記管保持手段２と前記ヘッダー固定保持手段１との間隔を規制するストッパー５４が、管保持手段２に設けられ、ヒーター３で加熱溶融された管Ｐの端部をヘッダーＨの分岐管受口部Ｒに挿入する際の挿入長さを調整できるようになっている。
尚、これらストッパー５１、５２、５４は衝突する相手側部材に設けられていてもよい。
【００１９】
次に、上記溶着機を使用してヘッダーＨの分岐管受口部Ｒに管Ｐを溶着する操作を説明する。
まず、ヒーター本体３１にヒーターフェイス３２とヒーターフェイス３３を装着し、ヘッダーＨをヘッダー固定保持手段１に固定し、管Ｐを管保持手段２に保持する。ヘッダーＨの固定は、ヘッダー本体Ｓを支持台１１の所定位置に載置し、押圧具１２で押圧固定すると共に、分岐管受口部固定具１３で分岐管受口部Ｒを固定する。また、管Ｐの端部を管保持手段２の管保持具２１の端面より所定長さ突出させて管保持具２１に保持する。この時、分岐管受口部Ｒ、ヒーターフェイス３２、ヒーターフェイス３３および管Ｐの軸芯が一致するように調整される。
【００２０】
尚、分岐管受口部固定具１３および管保持具２１は、分岐管受口部Ｒおよび管Ｐを抱持するもので、上下に分割され、後方側がヒンジで開閉可能とされ、前方側で固定するようになっており、上半部の前方側には把手が設けられ、この把手を持って上半部を開閉できる。
また、これらの分岐管受口部固定具１３および管保持具２１は、分岐管受口部Ｒと管Ｐの外径に合わせてライナーを交換して取付けるようになっているので、どの様な口径の管Ｐであっても同一軸芯を有するように保持できる。この時、ヘッダー固定保持手段１の支持台１１もヘッダーＨの本体Ｓの口径に対応して取り替えられる。
また、ヒーター３のヒーターフェイス３２とヒーターフェイス３３に設けられている電熱ヒーターの加熱温度と加熱時間が設定される。
【００２１】
準備が完了したら、ハンドル２５を回転してラック２３を前進させることにより、ラック２３の先端部に固定されている管保持手段２がガイド棒２２に添って摺動して前進し、管保持手段２に保持されている管Ｐの端部がヒーターフェイス３３の凹部に嵌合する。更にハンドル２５を回転すると管保持手段２と共にヒーター３が前進し、ヒーターフェイス３２がヘッダーＨの分岐管受口部Ｒに嵌合する。ヒーター３が前進するのは、ガイド棒３７、３７に添って摺動可能に取付けられているからである。
この状態で、更にハンドル２５を回転させると、ヒーター３の側面に設けられているストッパー５１および５２が管保持手段２およびヘッダー固定保持手段１に突き当たり、管Ｐのヒーターフェイス３３への嵌合度合いおよびヒーターフェイス３２の分岐管受口部Ｒへの嵌合度合いが適切となり、管Ｐの端部外面および分岐管受口部Ｒ内面が溶着に適切な状態に加熱溶融できる。
【００２２】
この状態を保持しながら、ヒーターフェイス３３、３２の電熱ヒーターに通電を開始してヒーターフェイス３３、３２を加熱し、管Ｐの端部外面および分岐管受口部Ｒ内面を加熱溶融する。設定した加熱時間が経過したら、ハンドル２５を逆回転させると、まず、ヒーター３と管保持手段２が一体となった状態で後退し、ヒーターフェイス３２が分岐管受口部Ｒから分離する。更にハンドル２５を逆回転させると、ヒーター３がストッパー５３に突き当たって後退を阻止され、管Ｐがヒーターフェイス３３から分離する。
【００２３】
ここで、まず、ヒーター３と管保持手段２が一体となった状態で後退し、ヒーターフェイス３２が分岐管受口部Ｒから分離するのは、分岐管受口部Ｒとヒーターフェイス３２とがテーパーとなされていて面接触状態で嵌合しているのに対して、管Ｐとヒーターフェイス３３との嵌合はテーパーを有さずフラットな内周面のヒーターフェイス３２に円筒状の管Ｐを押し込むため、きつく嵌合されることになる。したがって、加熱溶融した後でも、管Ｐとヒーターフェイス３３との嵌合状態の方が分岐管受口部Ｒとヒーターフェイス３２との嵌合状態よりきついので、管保持手段２を後退させると、まず、ヒーターフェイス３２が分岐管受口部Ｒから分離することになる。
【００２４】
ヒーター３が管Ｐおよび分岐受口部Ｒと分離したら、エアシリンダー３６を作動させて、スピンドルを後退させヒーター３を下方に移動させる。
次いで、ハンドル２５を回転させて管保持手段２に保持された管Ｐを前進させ、管Ｐの加熱溶融した端部を、固定保持されている加熱溶融した分岐管受口部に嵌合させる。管保持手段２に設けられているストッパー５４がヘッダー固定保持手段１に突き当たった状態を保持して、嵌合部が冷却すると両者は溶着する。
【００２５】
溶着部が冷却したら、管保持手段２およびヘッダー固定保持手段１を開けて、次の溶着作業に移る。同じヘッダーＨの他の分岐管受口部Ｒに管Ｐを溶着する場合には、ヘッダーＨの支持台１１への載置位置をずらして、他の分岐管受口部Ｒを分岐管受口部固定具１３で固定保持し、ハンドル２５の逆回転により後退させた管保持手段２には他の管Ｐを保持し、エアシリンダー３６を作動させて、ヒーター３を管Ｐと同一軸芯となる位置まで上方へ進出させればよい。
【００２６】
また、他のヘッダーＨに管Ｐを溶着する場合には、溶着したヘッダーＨと管Ｐとを取外し、溶着機を最初の状態に復帰させてから同様の作業を行えばよい。
しかし、ヘッダーＨの本体Ｓの口径、分岐管受口部Ｒの口径、管Ｐの口径が変更される場合には、ヘッダー固定保持手段１の支持台１１を分岐管受口部Ｒの軸芯が同一となるよう支持台を取り替え、分岐管受口部Ｒおよび管Ｐの口径の変更に対応して適切な寸法のライナーに取り替えると共に、ヒーター３のヒーターフェイス３２、３３を受口部および管の口径に合致したものに取り替えることが必要となる。
【００２７】
上記説明はヘッダーＨの分岐管受口部Ｒに管Ｐを溶着する例を示したが、本発明においては、ヘッダーＨに代えて、ソケットであっても、エルボ、チーズ等のクランプで安定して保持できない管継手であっても安定して溶着を行うことができる。
この場合には、溶着する管継手の形状および口径に合致した支持台に取り替え、管継手を安定して支持でき、かつ、管を溶着する受口部を水平方向に向けて管と同一軸芯となるようにすればよい。
【００２８】
また、上記実施例では、管保持手段２を移動させるのにラック２３とピニオン２４で構成して、ピニオン２４をハンドル２５で正逆回転させるものとしたが、通常の往復運動する機構であっても、エアシリンダー等の流体機器を使用したものであってもよい。
また、ヒーター３を出没可能に設けるのに、ヒーター本体３１を、スライド軸受３４、３４に支持されて摺動するガイド棒３５、３５の先端に固定し、ヒーター本体３１をエアシリンダー３６で移動させるものとしたが、ヒーター３を支持固定しガイド棒を前進後退させることができるものであれば、クランク機構であっても、カム機構であってもよい。
【００２９】
【発明の効果】
本発明の請求項１記載の溶着機は、管継手を支持する支持台と継手受口部を水平方向に向けて固定保持する管継手固定保持手段を備えているので、受口部を把持するクランプ手段に比べて、管継手を安定して固定することができる。
また、管保持手段を管継手固定保持手段に向けて近接、離反可能に摺動するものとし、また、ヒーターを、管継手固定保持手段と管保持手段の間に、出没可能かつ軸芯に添って摺動移動可能としたことにより、管継手固定保持手段を移動することのない固定したものとすることができ、管継手を安定して固定することができるようになっており、その結果、管継手の受口部および管にヒーターを挿入する加熱溶融作業や加熱溶融した管と受口部を相互に嵌合する接合作業等の溶着作業を確実に行うことができる溶着機となっている。
【００３０】
また、請求項２記載の溶着機は、管保持手段をピニオンの回転によるラックの摺動により、ガイドに沿って管継手固定保持手段に対して近接、離反摺動可能とされているので、管継手固定保持手段を固定した状態で、管保持手段を摺動させて、継手受口部と管端部とをヒーターに挿入して加熱溶融し、ピニオンを逆回転して管保持手段を後退させて継手受口部と管端部とをヒーターから離反させ、ヒーターを管軸上から移動させて、再度、管保持手段を管継手固定保持手段に近接させ、管端部を継手受口部に嵌合溶着することができる。即ち、ハンドルの正逆回転で一連の溶着作業を容易に行うことができる。
【００３１】
また、請求項３記載の融着機は、ヒーターがスライド軸受に支持されて摺動可能なガイド棒に取付けられ、ヒーターが流体シリンダーの動作で進出、後退可能に装着されているので、シリンダーのオン、オフ操作のみで、瞬時に切り換えができる。
【００３２】
また、請求項４、５、６記載の融着機は、請求項１、２、３における管継手固定保持手段がヘッダー固定保持手段に特定された発明であり、上記請求項１、２、３に関する発明と同様の作用を奏する。また、ヘッダーを固定保持し、管保持手段をヘッダー固定保持手段に対して近接、離反摺動可能とすると共に、ヒーターを出没可能に設けたことにより、隣り合うヘッダーの分岐管受口部の間隔が狭くても溶着が可能となり、汎用性の広い溶着機となっている。
【図面の簡単な説明】
【図１】この発明の溶着機の一実施例を示す正面図である。
【図２】図１に示す実施例の拡大平面図である。
【図３】図１のＡ−Ａ線における拡大側面図である。
【符号の説明】
Ｈ      ヘッダー
Ｓ      ヘッダーの本体
Ｒ      ヘッダーの分岐管受口部
Ｐ      管
１      ヘッダー固定保持手段
１１    支持台
１３    分岐管受口部固定具
２      管保持手段
２１    管保持具
２２    ガイド棒
２３    ラック
２４    ピニオン
２５    ハンドル
３      ヒーター
３４    スライド軸受
３５    ガイド棒
３６    エアシリンダー
４      架台
５１、５２、５３、５４      ストッパー
【図１】
2004314450.tif 000003
【図２】
2004314450.tif 000004
【図３】
2004314450.tif 000005